(57)【要約】【課題】従来は時刻更新手段３９と更新された時刻を基準として同期信号を生成する時刻及び同期信号生成手段３０が必要であり、構成が複雑となる問題があった。【解決手段】データを記憶したフレームを送信する周期のＮ倍（Ｎ≧１、Ｎ：整数）の周期を有する高精度パルスを発振可能な高精度発振器６を搭載する、又は、外部高精度パルスとしてＧＰＳ受信部８の１ＰＰＳ（ＰＵＬＳＥ　ＰＵＲ　ＳＥＣＯＮＤ）信号を利用するというシンプルな構成で、高精度パルスを発生させ、高精度パルスに同期させてデータ通信を行うことにより、複数の無線基地局装置２間で高精度な同期を確立する。【選択図】　　　　図１
2004023350.tif 000002
【特許請求の範囲】
【請求項１】
データを記憶したフレームを送信する周期のＮ倍（Ｎ≧１、Ｎ：整数）の周期を有するパルスを発生する発振器と、
上記発振器によって発生されるパルスを基準にデータを記憶したフレームを送信するタイミングを補正するための同期信号を生成する同期信号生成部とを備えることを特徴とする基地局。
【請求項２】
グローバルポジショニングシステム（ＧＰＳ）から送信される信号をパルスとして受信するＧＰＳ受信部と、
上記ＧＰＳ受信部が受信したパルスを基準にデータを記憶したフレームを送信するタイミングを補正するための同期信号を生成する同期信号生成部とを備えることを特徴とする基地局。
【請求項３】
上記基地局は、複数備えられ、
上記複数の基地局の同期信号生成部が生成した同期信号に基づいてフレームを同期して送信することを特徴とする請求項１または請求項２に記載された基地局。
【請求項４】
データを記憶したフレームを送信する周期のＮ倍（Ｎ≧１、Ｎ：整数）の周期を有するパルスを発生し、
上記発生されるパルスを基準にデータを記憶したフレームを送信するタイミングを補正するための同期信号を生成することを特徴とする通信方法。
【請求項５】
データを記憶したフレームを送信する周期のＮ倍（Ｎ≧１、Ｎ：整数）の周期を有するパルスを発生する処理と、
上記発生されるパルスを基準にデータを記憶したフレームを送信するタイミングを補正するための同期信号を生成する処理とをコンピュータに実行させることを特徴とする通信プログラム。
【請求項６】
データを記憶したフレームを送信する周期のＮ倍（Ｎ≧１、Ｎ：整数）の周期を有するパルスを発生する処理と、
上記発生されるパルスを基準にデータを記憶したフレームを送信するタイミングを補正するための同期信号を生成する処理とをコンピュータに実行させるための通信プログラムを記録したコンピュータ読み取り可能な記録媒体。
【発明の詳細な説明】
【０００１】
【発明の属する技術分野】
本発明は、移動体通信機器を制御する基地局が複数隣接する場合に、基地局間でとる同期に関するものである。
【０００２】
【従来の技術】
従来の無線基地局装置間同期は、特開平６−３１４９９７に示すように、ＧＰＳ（ＧＬＯＢＡＬ　ＰＯＳＩＴＩＯＮＩＮＧ　ＳＹＳＴＥＭ：グローバルポジショニングシステム）から送信される時刻を利用して同期信号を得て、得た時刻に基づいてスロット同期を行うことにより、同期を実現していた。
【０００３】
図４は、従来の無線電話制御装置間の同期を実現する無線電話制御装置の構成図である。
図４に基づいて無線電話制御装置１００及びその内部構成について説明する。３３は、無線電話制御装置１００と携帯無線子機との呼制御を行う無線制御手段である。
１は、通信を行うアンテナである。
３８は、ＧＰＳ衛星からＧＰＳ時刻を受け取るＧＰＳ手段である。
３９は、ＧＰＳ手段３８によって受け取ったＧＰＳ時刻のビット情報を検出し補正を行い、正しい現在時刻を生成する時刻更新手段である。
３０は、前記時刻更新手段３９によって更新された時刻を基準として同期信号を生成する時刻を設定し、設定した時刻に基づいて同期信号を生成する時刻及び同期信号生成手段である。
３１は、制御データとのインターフェースをとる制御データインタ−フェース手段である。
３２は、局線のインターフェースをとる局線インターフェース手段である。
３４は、上記時刻更新手段３９及び時刻及び同期信号生成手段３０及び制御データインタ−フェース手段３１及び局線インターフェース手段３２の動作制御を行う制御手段である。
【０００４】
次に、無線電話制御装置１００が同期信号を生成する動作について説明を行う。
ＧＰＳ手段３８は３０秒に１回ＧＰＳ時間情報を入手してＧＰＳ時刻を時刻更新手段３９に出力する。
時刻更新手段３９は、ＧＰＳ手段３８から、時刻更新手段３９に出力されたＧＰＳ時刻を取込み、現在時刻に補正し制御手段３４を介して、３０秒に１回、時刻及び同期信号生成手段３０の時刻更新を行う。
以上の動作によって、無線電話制御装置１００の現在時刻が更新されたこととなる。
【０００５】
次に、時刻及び同期信号生成手段３０は制御手段３４を介して、無線制御手段３３に２０ｍｓ（ｍｉｌｌｉ　ｓｅｃｏｎｄ）に１回割込み起動をかける。
割込みをかけられた無線制御手段３３は、当該割込み同期信号をスロット同期信号とし無線送出する。
【０００６】
【発明が解決しようとする課題】
上述したように、従来の構成では、時刻更新手段３９と更新された時刻を基準として同期信号を生成する時刻及び同期信号生成手段３０が必要であり、構成が複雑になるという問題があった。
また、ＧＰＳ手段３８により受信される時間信号は３０秒に１回受信されるため、更新される周期が長く、更新される頻度が低いという問題があった。
【０００７】
本発明は、高精度の基地局間の同期をシンプルな構成で実現することを目的とする。
【０００８】
【課題を解決するための手段】
この発明に係る基地局は、データを記憶したフレームを送信する周期のＮ倍（Ｎ≧１、Ｎ：整数）の周期を有するパルスを発生する発振器と、
上記発振器によって発生されるパルスを基準にデータを記憶したフレームを送信するタイミングを補正するための同期信号を生成する同期信号生成部とを備えることを特徴とする。
【０００９】
この発明に係る基地局は、グローバルポジショニングシステム（ＧＰＳ）から送信される信号をパルスとして受信するＧＰＳ受信部と、
上記ＧＰＳ受信部が受信したパルスを基準にデータを記憶したフレームを送信するタイミングを補正するための同期信号を生成する同期信号生成部とを備えることを特徴とする。
【００１０】
上記基地局は、複数備えられ、
上記複数の基地局の同期信号生成部が生成した同期信号に基づいてフレームを同期して送信することを特徴とする。
【００１１】
この発明に係る通信方法は、データを記憶したフレームを送信する周期のＮ倍（Ｎ≧１、Ｎ：整数）の周期を有するパルスを発生し、
上記発生されるパルスを基準にデータを記憶したフレームを送信するタイミングを補正するための同期信号を生成することを特徴とする。
【００１２】
この発明に係る通信プログラムは、データを記憶したフレームを送信する周期のＮ倍（Ｎ≧１、Ｎ：整数）の周期を有するパルスを発生する処理と、
上記発生されるパルスを基準にデータを記憶したフレームを送信するタイミングを補正するための同期信号を生成する処理とをコンピュータに実行させることを特徴とする。
【００１３】
この発明に係る通信プログラムを記録したコンピュータ読み取り可能な記録媒体は、データを記憶したフレームを送信する周期のＮ倍（Ｎ≧１、Ｎ：整数）の周期を有するパルスを発生する処理と、
上記発生されるパルスを基準にデータを記憶したフレームを送信するタイミングを補正するための同期信号を生成する処理とをコンピュータに実行させるための通信プログラムを記録したコンピュータ読み取り可能な記録媒体であることを特徴とする。
【００１４】
【発明の実施の形態】
以下、この発明の実施の一形態を説明する。
実施の形態１．
図１は、実施の形態１による無線基地局装置２の構成図である。
図１において、無線基地局装置２の内部構成について説明する。
１は移動体と通信を行うアンテナ、３は無線通信部、４は制御部、５は同期信号生成部、６は高精度発振器、１１は制御データインターフェース部、１４はネットワークインターフェース部である。
高精度発振器６は、データを記憶したフレームを送信する周期のＮ倍（Ｎ≧１、Ｎ：整数）の周期を有するパルスを発生する発振器の一例である。
【００１５】
本実施の形態では、高精度パルスを発振可能な高精度発振器６を無線基地局装置２に搭載し、前記高精度発振器６から同期信号生成部５に対し無線フレーム周期のＮ倍（Ｎ≧１、Ｎ：整数）の高精度パルスを入力する。Ｎの一例としては、無線スーパーフレーム周期／無線フレーム周期が挙げられる。
ここで、無線フレーム周期とは、データを記憶した１のフレームが無線により送信されてから、次のフレームが送信されるまでの時間をいう。現在、無線フレーム周期は４０ｍｓ（ｍｉｌｌｉ−ｓｅｃｏｎｄ）程度である。
また、無線スーパーフレーム周期も同様に、データを記憶した１のフレームが無線により送信されてから、次のフレームが送信されるまでの時間をいう。現在、無線スーパーフレーム周期は６４０ｍｓ、９６０ｍｓ程度である。
従って、上記数値をＮの一例として上記に記載した「無線スーパーフレーム周期／無線フレーム周期」に代入すると、
Ｎ＝無線スーパーフレーム周期／無線フレーム周期＝６４０／４０＝１６、又は、
Ｎ＝無線スーパーフレーム周期／無線フレーム周期＝９６０／４０＝２４となる。
次に、高精度発振器６によって生成された高精度パルスが入力された同期信号生成部５は制御部４に対し、同期パルスを出力し、制御部４にて無線通信部３に出力するデータの送信タイミングを前記同期パルスにて補正し、無線通信部３に対しデータを出力する。
【００１６】
以上、複数の無線基地局装置２で同一周波数を送信するシステムであって、無線フレームのＮ倍の高精度パルスを発生する高精度発振器６と前記高精度発振器６からのパルスを基準にデータ送信タイミングを補正する同期信号生成部５とから構成される無線基地局装置２について説明した。
【００１７】
このように、本実施の形態の発明は、シンプルな構成要素により高精度な無線基地局装置２間の同期を実現する。即ち、高精度発振器６を複数の無線基地局装置２に搭載することで、従来必要であった時刻更新手段と更新された時刻を基準として同期信号を生成する時刻及び同期信号生成手段が不要となり、高精度発振器６により各無線基地局装置２の無線通信部３から出力されるデータの送信タイミングの同期をとることが可能となる。
【００１８】
実施の形態２．
図２は、実施の形態２による構成図である。
図において、８はＧＰＳ受信部であり、その他の構成は実施の形態１に同様であり、実施の形態１にて説明しているので、記述しているので省略する。
【００１９】
実施の形態２は、実施の形態１の実施例に対し、同期信号生成部５に入力する高精度パルスとしてＧＰＳ受信部８を利用している。
ＧＰＳアンテナを介し、ＧＰＳ受信部８から１秒に１回出力される信号（１ＰＰＳ信号（ＰＰＳ：ＰＵＬＳＥ　ＰＵＲ　ＳＥＣＯＮＤ）を高精度パルスとして使用する。
前記高精度パルスを同期信号生成部５に入力した後の動作は実施の形態１の動作と同じであるので、説明を省略する。
【００２０】
以上、ＧＰＳ受信部８から１秒に１回出力される信号を抽出し、当該信号を基準にデータ送信タイミングを補正する同期信号生成部５を有することを特徴とした無線基地局装置２について説明した。
【００２１】
上述したように、本実施の形態の発明においても、シンプルな構成要素により高精度な無線基地局装置２間の同期を実現する。即ち、ＧＰＳ受信部８を複数の無線基地局装置２に搭載することで、各無線基地局装置２は同時にＧＰＳからの高精度１ＰＰＳ信号を受信できるため、各無線基地局装置２の無線通信部３から出力されるデータの送信タイミングの同期をとることが可能となる。よって、従来必要であった時刻更新手段と更新された時刻を基準として同期信号を生成する時刻及び同期信号生成手段が不要となる。
【００２２】
このように、従来は、３０秒に１回受信される時刻を基準として、同期信号を生成していたため、データの送信タイミングを補正する周期が長く、更新が遅い（更新周期が長い）という問題があったが、本実施の形態では更新周期が短いため、複数の無線基地局装置２間でより精度の高い同期が可能である。
【００２３】
図３は、無線基地局装置２のコンピュータ基本構成図である。
図３において、プログラムを実行するＣＰＵ（Ｃｅｎｔｒａｌ　Ｐｒｏｃｅｓｓｉｎｇ　Ｕｎｉｔ）４０は、バス４８を介してモニタ４１、キーボード４２、マウス４３、通信ボード４４、磁気ディスク装置４６等と接続されている。
磁気ディスク装置４６には、ＯＳ４７、プログラム群４９、ファイル群５０が記憶されている。ただし、プログラム群４９、ファイル群５０が一体となってオブジェクト指向のプログラム群４９を形成する形態も一実施の形態として考えられる。
プログラム群４９は、ＣＰＵ４０、ＯＳ４７により実行される。
上記各実施の形態では、通信ボード４４の機能を使用して、通信回線を経由して通信する。
【００２４】
すべての実施の形態では、各構成要素の各動作はお互いに関連しており、各構成要素の動作は、上記に示された動作の関連を考慮しながら、一連の動作として置き換えることができる。そして、このように置き換えることにより、方法の発明の実施形態とすることができる。
また、上記各構成要素の動作を、各構成要素の処理と置き換えることにより、プログラムの実施の形態とすることができる。
また、プログラムを「プログラムを記録したコンピュータ読み取り可能な記録媒体」に記憶させることで、プログラムに記録したコンピュータ読取り可能な記録媒体の実施の形態とすることができる。
【００２５】
プログラムの実施の形態及びプログラムに記録したコンピュータ読取り可能な記録媒体の実施の形態は、すべてコンピュータで動作可能なプログラムにより構成することができる。
プログラムの実施の形態およびプログラムを記録したコンピュータ読取り可能な記録媒体の実施の形態における各処理はプログラムで実行されるが、このプログラムは、記録装置に記録されていて、記録装置から中央処理装置（ＣＰＵ）に読み込まれ、中央処理装置によって、各フローチャートが実行されることになる。
また、各実施の形態のソフトウエアやプログラムは、ＲＯＭ（ＲＥＡＤ　ＯＮＬＹ　ＭＥＭＯＲＹ）に記憶されたファームウエアで実現されていても構わない。あるいは、ソフトウエアとファームウエアとハードウエアとの組み合わせで前述したプログラムの各機能を実現しても構わない。
【００２６】
【発明の効果】
以上のように、この発明によればシンプルな構成により複数の基地局間で同期をとることができる。
【００２７】
また、更新周期が短いため、複数の基地局間でより精度の高い同期が可能である。
【図面の簡単な説明】
【図１】この発明の実施の形態１による構成図である。
【図２】この発明の実施の形態２による構成図である。
【図３】無線基地局装置のコンピュータ基本構成図である。
【図４】従来の技術における無線電話制御装置の構成図である。
【符号の説明】
１　アンテナ、２　無線基地局装置、３　無線通信部、４　制御部、５　同期信号生成部、６　高精度発振器、８　ＧＰＳ受信部、１１　制御データインターフェース部、１４　ネットワークインターフェース部、３０　時刻及び同期信号生成手段、３１　制御データインターフェース手段、３２　局線インターフェース手段、３３　無線制御手段、３４　制御手段、３８　ＧＰＳ手段、３９　時刻更新手段、１００　無線電話制御装置。
【図１】
2004023350.tif 000003
【図２】
2004023350.tif 000004
【図３】
2004023350.tif 000005
【図４】
2004023350.tif 000006